(57)【要約】【課題】表示領域の左右に駆動回路を分割して配置した液晶表示装置において、画面端でのちらつきを低減すること。【解決手段】表示領域６の左右に第１と第２の対向電極信号駆動回路３Ｌ，３Ｒを配置した液晶表示装置１において、任意の１フレーム期間中において、第１の対向電極信号駆動回路３Ｌは、少なくとも１の対向電極信号線部ＣＸ１，３，・・・，ｎ−１に第１の電圧を印加し、少なくとも１の対向電極信号線部ＣＸ１，３，・・・，ｎ−１に前記第１の電圧と異なる第２の電圧を印加し、第２の対向電極信号駆動回路３Ｒは、少なくとも１の対向電極信号線部ＣＸ２，４，・・・，ｎに前記第１の電圧を印加し、少なくとも１の対向電極信号線部ＣＸ２，４，・・・，ｎに前記第２の電圧を印加する。【選択図】図４
2010139776.tif 000002
【特許請求の範囲】
【請求項１】
基板と、
前記基板上に、画素が形成された領域の一方の側に設けられた第１の対向電極信号駆動回路と、
前記基板上に、前記画素が形成された領域の他方の側に設けられた第２の対向電極信号駆動回路と、
前記基板上に、画素に対応して設けられ、対向電極として機能する部分である複数の対向電極部と、
前記基板上に、前記対向電極部と導通し、一の方向に延びると共に、前記一の方向と直交する方向に配列され、前記第１の対向電極信号駆動回路又は第２の対向電極信号駆動回路に接続された複数の対向電極信号線部と、
を有し、
任意の１フレーム期間中において、
前記第１の対向電極信号駆動回路は、少なくとも１の前記対向電極信号線部に第１の電圧を印加し、少なくとも１の前記対向電極信号線部に前記第１の電圧と異なる第２の電圧を印加し、
前記第２の対向電極信号駆動回路は、少なくとも１の前記対向電極信号線部に前記第１の電圧を印加し、少なくとも１の前記対向電極信号線部に前記第２の電圧を印加する
液晶表示装置。
【請求項２】
任意の１フレーム期間中において、前記一の方向と直交する方向に隣接する４の前記対向電極信号線部には、次の（ａ）〜（ｄ）の対向電極信号線部、すなわち、
（ａ）前記第１の対向電極信号駆動回路に接続され、前記第１の電圧が印加される対向電極信号線部、
（ｂ）前記第２の対向電極信号駆動回路に接続され、前記第１の電圧が印加される対向電極信号線部、
（ｃ）前記第１の対向電極信号駆動回路に接続され、前記第２の電圧が印加される対向電極信号線部、
（ｄ）前記第２の対向電極信号駆動回路に接続され、前記第２の電圧が印加される対向電極信号線部、
が含まれる請求項１記載の液晶表示装置。
【請求項３】
任意の１フレーム期間中において、前記対向電極信号線部は、前記一の方向と直交する方向に、
前記（ａ）の対向電極信号線部、前記（ｂ）の対向電極信号線部、前記（ｃ）の対向電極信号線部、前記（ｄ）の対向電極信号線部、
の順に配列される請求項２記載の液晶表示装置。
【請求項４】
任意の１フレーム期間中において、前記対向電極信号線部は、前記一の方向と直交する方向に、
前記（ａ）の対向電極信号線部、前記（ｃ）の対向電極信号線部、前記（ｂ）の対向電極信号線部、前記（ｄ）の対向電極信号線部、
の順に配列される請求項２記載の液晶表示装置。
【請求項５】
任意の１フレーム期間中において、前記対向電極信号線部は、前記一の方向と直交する方向に、
前記（ａ）の対向電極信号線部、前記（ｃ）の対向電極信号線部、前記（ｄ）の対向電極信号線部、前記（ｂ）の対向電極信号線部、
の順に配列される請求項２記載の液晶表示装置。
【発明の詳細な説明】
【技術分野】
【０００１】
本発明は、液晶表示装置に係わり、特に、駆動回路を液晶基板上に形成した液晶表示装置に関する。
【背景技術】
【０００２】
アクティブマトリックス方式の液晶表示装置は、パーソナルコンピュータのモニタ、テレビジョン受信機や携帯機器の情報表示装置等として広く使用されている。これらの液晶表示装置は、画素電極と対向電極が形成された一対のガラス等の基板により液晶層を挟んだ構造をしており、画素電極と対向電極間に電圧を印加することにより液晶の配向方向を変化させ、光スイッチング素子として機能させることにより画像を形成する。
【０００３】
液晶層は、長時間同じ電圧の印加を受けるとその配向方向が固定され、液晶表示装置がいわゆる焼き付きを起こす。これを避けるため、液晶表示装置では、液晶層に印加する電圧の正負を一定時間毎、代表的にはフレーム毎に反転させなければならない。この際、画素電極に印加する電圧だけでなく、対向電極に印加する電圧を高電位、低電位の２つの電位に交互に変化させることにより、画素電極に印加しなければならない電圧の幅を小さくでき、消費電力を小さくすることができる。
【０００４】
対向電極に印加する電圧を変化させる方式にはいくつかのものがある。そのようなものとして、全ての対向電極に印加する電圧を同電位とし、フレーム毎に電位を変化させるフレーム反転方式、画素の行（ライン）に沿った対向電極に同電位の電圧を印加し、行毎に印加する電圧を変化させるライン反転方式、画素の列（コラム）に沿った対向電極に同電位の電圧を印加し、列ごとに印加する電圧を変化させるコラム反転方式、隣り合う画素の対向電極に印加する電圧を異ならせる、ドット反転方式等が知られている。これらの方式のうち、ライン反転方式が、画像表示の品質や駆動回路形成の容易さの点において優れている。
【０００５】
特許文献１には、ライン反転方式を採用した液晶表示装置であって、対向電極信号線毎に対向電極駆動回路を有するものが記載されている。
【０００６】
また、いわゆるシステム・オン・グラスと呼ばれる、駆動回路自体を液晶基板上に形成した液晶表示装置においては、駆動回路の規模によって、当該回路が基板上に占める面積が決まる。このような液晶表示装置を狭額縁化あるいは小型化する際には、画素が形成された領域である表示領域の左右に駆動回路を分割して配置することが考えられる。このようにすると、表示領域の左右に配置される回路の規模は、表示領域の左右いずれかの側に駆動回路を配置する場合に比べおおむね半分となる。
【０００７】
特許文献２には、ゲートドライバ回路を表示領域の左右に分割して配置した液晶表示装置が記載されている（図８等）。
【特許文献１】特開２００６−２７６５４１号公報
【特許文献２】特開２００４−６１６７０号公報
【発明の開示】
【発明が解決しようとする課題】
【０００８】
図８は、ライン反転方式を採用し、表示領域６の左右に駆動回路を分割して配置した液晶表示装置１を模式的に示す図である。表示領域６は複数の画素が形成され、画像を表示する領域である。ここでは、縦方向にｎ個の画素を有するものとする。その左右には、対向電極信号線部ＣＸ１〜ｎに印加する電圧を制御する対向電極信号駆動回路３Ｌ、３Ｒが配置されている。対向電極信号線部ＣＸ１〜ｎは表示領域６内の画素の対向電極部と導通しており、対向電極信号駆動回路３Ｌ、３Ｒから出力される電圧を各対向電極部に印加する。図示するように、表示領域６の上から奇数番目の対向電極信号線部ＣＸ１，３，・・・，ｎ−１は、表示領域６の左側に配置された対向電極信号駆動回路３Ｌに接続されている。また、表示領域６の上から偶数番目の対向電極信号線部ＣＸ２，４，・・・，ｎは、表示領域６の右側に配置された対向電極信号駆動回路３Ｒに接続されている。図中、対向電極信号線部を示す符号ＣＸ１〜ｎの後に括弧で示すＨまたはＬは、対向電極信号線部ＣＸ１〜ｎに印加される電圧を示しており、Ｈは高電位電圧が、Ｌは低電位電圧が印加されていることを表している。
【０００９】
同図（ａ）は、液晶表示装置１の奇数フレームにおける対向電極信号線部ＣＸ１〜ｎの状態である。同図より明らかなように、対向電極信号駆動回路３Ｌに接続される奇数番目の対向電極信号線部ＣＸ１，３，・・・，ｎ−１には全て高電位電圧が印加されている。一方、対向電極信号駆動回路３Ｒに接続される偶数番目の対向電極信号線部ＣＸ２，４，・・・，ｎには全て低電位電圧が印加されている。
【００１０】
また、同図（ｂ）は、液晶表示装置１の偶数フレームにおける対向電極信号線部ＣＸ１〜ｎの状態である。この場合、奇数番目の対向電極信号線部ＣＸ１，３，・・・，ｎ−１には全て低電位電圧が、偶数番目の対向電極信号線部ＣＸ２，４，・・・，ｎには全て高電位電圧が印加される。
【００１１】
すなわち、ここで示したように、対向電極信号線部ＣＸ１〜ｎを単純に左右の対向電極信号駆動回路３Ｌ、３Ｒに交互に接続するようにすると、左右いずれかの対向電極信号駆動回路３Ｌ、３Ｒに接続される対向電極信号線部ＣＸ１〜ｎには、全て同電位が印加される。
【００１２】
ところで、対向電極信号線部ＣＸ１〜ｎには一般に、ＩＴＯ（Ｉｎｄｉｕｍ  Ｔｉｎ  Ｏｘｉｄｅ）薄膜等の透明導電性薄膜が用いられるが、かかる透明導電性薄膜は、比較的抵抗が高い。そのため、対向電極信号線部ＣＸ１〜ｎは、接続されている対向電極信号駆動回路３Ｌ、３Ｒに近い位置では高い電圧値を示すが、当該対向電極信号駆動回路３Ｌ、３Ｒから遠ざかるに従い、電圧が降下する。このことは、対向電極信号駆動回路３Ｌ、３Ｒから遠い位置における画素の輝度の低下として観察される。
【００１３】
また、ライン反転方式では、対向電極部に印加する電圧をフレーム毎に変化させるが、この際、画素に配置される薄膜トランジスタと対向電極部との間に形成される寄生容量などの影響により、薄膜トランジスタの特性が変化する。そのため、対向電極部に高電位電圧を印加した場合と低電位電圧を印加した場合との間で、薄膜トランジスタにより書き込まれる電圧値に違いが生じる。このことは、薄膜トランジスタにｎ型ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）を用いたとすると、対向電極部に高電位電圧を印加した場合には画素の輝度の低下として、対向電極部に低電位電圧を印加した場合には画素の輝度の上昇として観察される。
【００１４】
図９は、図８に示した液晶表示装置１の横方向の画素の輝度分布を示すグラフである。同図において、横軸は液晶表示装置１の表示領域６における横方向の位置Ｙを示し、縦軸は画素の輝度Ｌを示す。グラフの左右端の位置は、表示領域６の左右端の位置に相当する。
【００１５】
同図（ａ）は、液晶表示装置１の奇数フレームにおける輝度分布を示しており、図８（ａ）に対応する。図中曲線２０は、奇数番目の対向電極信号線部ＣＸ１，３，・・・，ｎ−１に対応する画素の輝度分布を表す。この場合、対向電極信号線部ＣＸ１，３，・・・，ｎ−１には左の対向電極信号駆動回路３Ｌから電圧が供給されるため、輝度分布は図示したとおり右下がりとなる。また、対向電極信号線部ＣＸ１，３，・・・，ｎ−１には高電位の電圧が供給されているため、全体の輝度はやや低くなる。これに対し、偶数番目の対向電極信号線部ＣＸ２，４，・・・，ｎに対応する画素の輝度分布を表す曲線２１では、右の対向電極信号駆動回路３Ｒから低電位の電圧が供給されるため、輝度分布は左下がりとなり、全体の輝度は曲線２０に比してやや高くなる。図中破線で示す曲線２２は、表示領域６全体での画素の輝度分布であり、曲線２０及び曲線２１を合成したものとなる。曲線２２は図示したとおり、やや左下がりとなる。これは、表示領域６の左端近傍では画像がやや暗くなることを意味する。
【００１６】
同図（ｂ）は、液晶表示装置１の偶数フレームにおける輝度分布を示しており、図８（ｂ）に対応する。この場合、奇数番目の対向電極信号線部ＣＸ１，３，・・・，ｎ−１と偶数番目の対向電極信号線部ＣＸ２，４，・・・，ｎに印加される電圧値が奇数フレームのものと反対になるため、曲線２０全体の輝度がやや高くなる一方、曲線２１全体の輝度はやや低くなる。この結果、表示領域６全体での画素の輝度分布を一点鎖線で示す曲線２３は、やや右下がりとなる。これは、表示領域６の右端近傍では画像がやや暗くなることを意味する。
【００１７】
同図（ｃ）は、（ａ）の曲線２２と（ｂ）の曲線２３を同時に表示したグラフである。同グラフに示されるように、表示領域６の端部では、符号２４で示す輝度の差が生じている。そして、曲線２２は奇数フレームにおける表示領域６全体の輝度分布、曲線２３は偶数フレームにおける表示領域６全体の輝度分布なのであるから、結局、この液晶表示装置１は、１フレーム毎に、表示領域６の左右の端部において、輝度の差２４だけ輝度が変化することになる。これは、画面端でのちらつきとして観察される。
【００１８】
本発明は、かかる観点に基づいてなされたものであり、その目的は、表示領域の左右に駆動回路を分割して配置した液晶表示装置において、画面端でのちらつきを低減することである。
【課題を解決するための手段】
【００１９】
本出願において開示される発明のうち、代表的なものの概要を簡単に説明すれば、以下のとおりである。
【００２０】
（１）基板と、前記基板上に、画素が形成された領域の一方の側に設けられた第１の対向電極信号駆動回路と、前記基板上に、前記画素が形成された領域の他方の側に設けられた第２の対向電極信号駆動回路と、前記基板上に、画素に対応して設けられ、対向電極として機能する部分である複数の対向電極部と、前記基板上に、前記対向電極部と導通し、一の方向に延びると共に、前記一の方向と直交する方向に配列され、前記第１の対向電極信号駆動回路又は第２の対向電極信号駆動回路に接続された複数の対向電極信号線部と、を有し、任意の１フレーム期間中において、前記第１の対向電極信号駆動回路は、少なくとも１の前記対向電極信号線部に第１の電圧を印加し、少なくとも１の前記対向電極信号線部に前記第１の電圧と異なる第２の電圧を印加し、前記第２の対向電極信号駆動回路は、少なくとも１の前記対向電極信号線部に前記第１の電圧を印加し、少なくとも１の前記対向電極信号線部に前記第２の電圧を印加する液晶表示装置。
【００２１】
（２）（１）において、任意の１フレーム期間中において、前記一の方向と直交する方向に隣接する４の前記対向電極信号線部には、次の（ａ）〜（ｄ）の対向電極信号線部、すなわち、（ａ）前記第１の対向電極信号駆動回路に接続され、前記第１の電圧が印加される対向電極信号線部、（ｂ）前記第２の対向電極信号駆動回路に接続され、前記第１の電圧が印加される対向電極信号線部、（ｃ）前記第１の対向電極信号駆動回路に接続され、前記第２の電圧が印加される対向電極信号線部、（ｄ）前記第２の対向電極信号駆動回路に接続され、前記第２の電圧が印加される対向電極信号線部、が含まれる液晶表示装置。
【００２２】
（３）（２）において、任意の１フレーム期間中において、前記対向電極信号線部は、前記一の方向と直交する方向に、前記（ａ）の対向電極信号線部、前記（ｂ）の対向電極信号線部、前記（ｃ）の対向電極信号線部、前記（ｄ）の対向電極信号線部、の順に配列される液晶表示装置。
【００２３】
（４）（２）において、任意の１フレーム期間中において、前記対向電極信号線部は、前記一の方向と直交する方向に、前記（ａ）の対向電極信号線部、前記（ｃ）の対向電極信号線部、前記（ｂ）の対向電極信号線部、前記（ｄ）の対向電極信号線部、の順に配列される液晶表示装置。
【００２４】
（５）（２）において、任意の１フレーム期間中において、前記対向電極信号線部は、前記一の方向と直交する方向に、前記（ａ）の対向電極信号線部、前記（ｃ）の対向電極信号線部、前記（ｄ）の対向電極信号線部、前記（ｂ）の対向電極信号線部、の順に配列される液晶表示装置。
【発明の効果】
【００２５】
以上の本出願において開示される発明によれば、表示領域の左右に駆動回路を分割して配置した液晶表示装置において、画面端でのちらつきを低減することができる。
【発明を実施するための最良の形態】
【００２６】
以下本発明の好適な第１の実施形態を図１〜４を参照しつつ説明する。
【００２７】
図１は、本実施形態に係る液晶表示装置１の回路配置を示す全体図である。本実施形態に係る液晶表示装置１は、縦ｎ画素、横ｍ画素の計ｎ×ｍ画素を有しており、ガラス等の透明基板であるＴＦＴ基板１０上に、同図に示す回路が形成されている。表示領域６の左右には、走査信号駆動回路２Ｌ，２Ｒ及び対向電極信号駆動回路３Ｌ、３Ｒが形成されている。表示領域６の左に配置された走査信号駆動回路２Ｌからは横方向に延びるｎ／２本の走査信号線Ｘ１，３，・・・，Ｘｎ−１が、同じく対向電極信号駆動回路３Ｌからは横方向に延びるｎ／２本の対向電極信号線部ＣＸ１，３，・・・，ＣＸｎ−１が図示するように縦方向に配列されている。表示領域６の右に配置された走査信号駆動回路２Ｒからは横方向に延びるｎ／２本の走査信号線Ｘ２，４，・・・，Ｘｎが、同じく対向電極信号駆動回路３Ｒからは横方向に延びるｎ／２本の対向電極信号線部ＣＸ２，４，・・・，ＣＸｎが図示するように縦方向に配列されている。さらに、分配回路３からは、縦方向に延びるｍ本の映像信号線Ｙ１〜Ｙｍが、図示するように横方向に配列されている。走査信号線Ｘ１〜Ｘｎと映像信号線Ｙ１〜Ｙｍに囲まれた領域が画素となっており、画素電極と対向電極部からなる保持容量Ｃ１１〜Ｃｎｍが形成されている。また、各画素にはトランジスタＴ１１〜Ｔｎｍが形成されており、各トランジスタＴ１１〜Ｔｎｍのソースが画素電極に、ドレインが映像信号線Ｙ１〜Ｙｍに、そしてゲートが走査信号線Ｘ１〜Ｘｎに接続されている。各対向電極部は、対向電極信号線部ＣＸ１〜ＣＸｎと導通している。なお、各トランジスタＴ１１〜Ｔｎｍと画素電極及び映像信号線Ｙ１〜Ｙｍとの接続を入れ替えても良い。走査信号駆動回路２Ｌ，２Ｒ、対向電極信号駆動回路３Ｌ、３Ｒ及び分配回路３はドライバ回路４に接続されている。ドライバ回路４は、走査信号駆動回路２Ｌ，２Ｒ及び対向電極信号駆動回路３Ｌ、３Ｒに各種の制御信号を、分配回路３に映像信号を出力する。
【００２８】
このような構成の液晶表示装置１では、走査信号駆動回路２Ｌ，２Ｒから走査信号線Ｘ１〜Ｘｎに出力される走査信号により縦方向の走査が行われる。すなわち、特定の列の走査信号線、例えば、Ｘ１に印加する電圧を高電位とし、残りの走査信号線Ｘ２〜Ｘｎを低電位にすると、走査信号線Ｘ１に接続しているトランジスタＴ１１〜Ｔ１ｍがオンとなる。このとき、分配回路３から映像信号線Ｙ１〜Ｙｍに出力される映像信号に対応した電圧が保持容量Ｃ１１〜Ｃ１ｍに書き込まれる。続いて走査信号線Ｘ２に印加する電圧を高電圧とし、残りの走査信号線Ｘ１，３〜Ｘｎを低電位にすると、保持容量Ｃ２１〜Ｃ２ｍに映像信号に対応した電圧が書き込まれ、以下同様に繰り返すことにより全ての保持容量Ｃ１１〜Ｃｎｍに映像信号に対応した電圧を書き込む。この電圧により、液晶層の配向方向を変化させ、光の透過率を制御することにより画像が形成される。
【００２９】
本実施形態では、画素電極及び対向電極部が共にＴＦＴ基板１０上に形成されているが、これは液晶表示装置１がＩＰＳ（Ｉｎ−Ｐｌａｎｅ  Ｓｗｉｔｃｈｉｎｇ）と呼ばれる、横電界方式を採用しているためである。ＶＡ（Ｖｅｒｔｉｃａｌ  Ａｌｉｇｎｍｅｎｔ）やＴＮ（Ｔｗｉｓｔｅｄ  Ｎｅｍａｔｉｃ）と呼ばれる縦電界方式の液晶表示装置では、後述するように、画素電極はＴＦＴ基板１０に、対向電極部は、ＴＦＴ基板１０とは液晶層を挟み相対するカラーフィルター基板にそれぞれ形成されることになる。
【００３０】
図２は、本実施形態に係る液晶表示装置１の画素部分の拡大図であり、図３は、図２中Ａ−Ａ線で示した断面図である。両図には、縦方向にａ番目、横方向にｂ番目の画素が示されているが、その他の画素も同様の構造である。
【００３１】
図２に示すようにＴＦＴ基板１０には走査信号線Ｘａ，Ｘａ＋１と映像信号線２０Ｙｂ，Ｙｂ＋1が形成されており、これらに囲まれた領域が画素となる。走査信号線Ｘａと映像信号線Ｙｂの交差部近傍にトランジスタＴａｂが形成される。本実施形態では、トランジスタＴａｂはｎＭＯＳ型薄膜トランジスタである。トランジスタＴａｂのソースには、櫛歯状の画素電極１１が接続される。画素電極１１の下部には、点線で示した対向電極信号線部ＣＸａが配置されており、対向電極信号線部ＣＸａのうち、一点鎖線で示した画素内に位置する領域は、その画素の対向電極として機能する対向電極部１２である。すなわち、画素毎に設けられた複数の対向電極部１２が存在し、対向電極信号線部ＣＸａはそれら複数の対向電極部１２と導通していることになる。なお、対向電極部１２を画素毎に独立した対向電極として形成し、対向電極信号線部ＣＸａを走査信号線Ｘａと同様の細幅の対向電極信号線として、対向電極信号線と対向電極を別途接続しても差し支えない。
【００３２】
図３には、ＴＦＴ基板１０上に形成されたトランジスタＴａｂ、画素電極１１、対向電極部１２及び配向膜１３が示されており、それぞれの間には、適宜の絶縁膜が形成される。また、ＴＦＴ基板１０と液晶層１４を隔ててカラーフィルター基板１５が配置されており、カラーフィルター基板１５上には、ブラックマトリクス１６、カラーフィルター層１７、平坦化膜１８及び配向膜１９が形成されている。なお、平坦化膜１８は必要なければ省略してもよい。
【００３３】
ここで、上述した表示領域６の端部においてちらつきが生じる原因について考察する。液晶表示装置１が動作している状態において、対向電極信号線部ＣＸ１〜ＣＸｎは次の（ａ）〜（ｄ）の４通りのいずれかの状態にある。
（ａ）対向電極信号駆動回路３Ｌに接続されており、高電位にある。
（ｂ）対向電極信号駆動回路３Ｒに接続されており、高電位にある。
（ｃ）対向電極信号駆動回路３Ｌに接続されており、低電位にある。
（ｄ）対向電極信号駆動回路３Ｒに接続されており、低電位にある。
【００３４】
そして、（ａ）〜（ｄ）のそれぞれの状態について、当該対向電極信号線部ＣＸ１〜ＣＸｎに対応する画素が示す表示領域６の左右方向に対する輝度分布は異なる。
【００３５】
そのため、特定のフレームにおいて、対向電極信号線部ＣＸ１〜ＣＸｎの状態の分布に偏りがあると、それは表示領域６内の輝度分布の偏りをもたらす。そして、奇数フレームと偶数フレームとの間で、対向電極信号線部ＣＸ１〜ＣＸｎの分布の状態に差があると、１フレーム毎に表示領域６内の輝度分布が変化するため、ちらつきとして観察されるのである。
【００３６】
すなわち、各フレーム毎に対向電極信号線部ＣＸ１〜ＣＸｎの状態が上記（ａ）〜（ｄ）に均等に分布するようにすると、ちらつきを低減できることになる。
【００３７】
そのためには、任意の１フレーム期間中において、対向電極信号駆動回路３Ｌが、少なくとも１の対向電極信号線部ＣＸ１，３，・・・，ＣＸｎ−１に第１の電圧である高電圧を印加し、少なくとも１の対向電極信号線部ＣＸ１，３，・・・，ＣＸｎ−１に第２の電圧である低電圧を印加するとともに、対向電極信号駆動回路３Ｒは、少なくとも１の対向電極信号線部ＣＸ２，４，・・・，ＣＸｎに第１の電圧である高電圧を印加し、少なくとも１の対向電極信号線部ＣＸ２，４，・・・，ＣＸｎに前記第２の電圧である低電圧を印加しなければならない。
【００３８】
言い換えれば、任意の１フレーム期間中において、上記（ａ）〜（ｄ）の状態にある対向電極信号線部ＣＸ１〜ＣＸｎが、それぞれの状態につき必ず１つ以上ある。
【００３９】
また、対向電極信号線部ＣＸ１〜ＣＸｎの状態の分布の偏りを低減するためには、できるだけ対向電極信号線部ＣＸ１〜ＣＸｎが上記（ａ）〜（ｄ）の状態に均等に分布することが好ましい。すなわち、任意の１フレーム期間中において、上記（ａ）〜（ｄ）の状態にある対向電極信号線部ＣＸ１〜ＣＸｎの数は、それぞれ略等しいことが好ましい。ｎが４の倍数である場合には、上記（ａ）〜（ｄ）の状態にある対向電極信号線部ＣＸ１〜ＣＸｎの数を等しくすることができる。
【００４０】
さらに、表示領域６内での輝度分布の偏り、特に、上下方向における輝度分布の偏りを低減するためには、表示領域６内での上記（ａ）〜（ｄ）の状態にある対向電極信号線部ＣＸ１〜ＣＸｎの分布も均等であることが好ましい。これを実現するためには、任意の１フレーム期間中において、上下方向に隣接する任意の４の対向電極信号線部ＣＸ１〜ＣＸｎを取りだした際に、上記（ａ）〜（ｄ）の状態がすべて含まれるようにするとよい。
【００４１】
本実施形態は、任意の１フレーム期間中において、上下方向に隣接する任意の４の対向電極信号線部ＣＸ１〜ＣＸｎを取りだした際に、上記（ａ）〜（ｄ）の状態がすべて含まれるような対向電極信号線部ＣＸ１〜ＣＸｎの配置及び制御の１例である。
【００４２】
図４は、本実施形態に係る液晶表示装置１を模式的に示す図である。同図中に示される符号及びその意味は、すでに説明した図８に準じるため、その説明は省略する。
【００４３】
同図（ａ）に示すように、奇数フレームにおいては、対向電極信号線部ＣＸ１〜ＣＸｎは上端の対向電極信号線部ＣＸ１からその状態が（ａ）、（ｂ）、（ｃ）、（ｄ）の順に並び、以下ＣＸｎまで繰り返す。このような配置だと、隣接する４の対向電極信号線部ＣＸ１〜ＣＸｎをどの位置で取り出しても、上記（ａ）〜（ｄ）の状態が必ず１ずつ含まれることになる。
【００４４】
そして、同図（ｂ）に示すように、偶数フレームにおいては、対向電極信号線部ＣＸ１〜ＣＸｎは上端の対向電極信号線部ＣＸ１からその状態が（ｃ）、（ｄ）、（ａ）、（ｂ）の順に並び、以下ＣＸｎまで繰り返す。この場合でも、奇数フレームの場合と同じく、隣接する４の対向電極信号線部ＣＸ１〜ＣＸｎをどの位置で取り出しても、上記（ａ）〜（ｄ）の状態が必ず１ずつ含まれる。なお、偶数フレームにおいて、隣接する４の対向電極信号線部ＣＸ１〜ＣＸｎとして、対向電極信号線部ＣＸ２〜ＣＸ５を取りだせば、その状態は（ａ）、（ｂ）、（ｃ）、（ｄ）の順に並んでおり、奇数フレームの場合と同様となる。
【００４５】
このようにすると、奇数フレームと偶数フレームとの間の輝度分布の差はなくなる。そのため、前述した原因に起因する画面のちらつきは解消する。また、任意の１フレームにおいても、表示領域６内での輝度分布の偏りは小さい。
【００４６】
なお、本実施形態においては、走査信号線Ｘ１〜Ｘｎの配列は、対向電極信号線部ＣＸ１〜ＣＸｎと同様に、上から奇数番目の走査信号線Ｘ１，３，・・・，Ｘｎ−１を表示領域６の左の走査信号駆動回路２Ｌに接続し、上から偶数番目の走査信号線Ｘ２，４，・・・，Ｘｎを表示領域６の右の走査信号駆動回路２Ｒに接続したが、走査信号線Ｘ１〜Ｘｎの配列は特に限定されない。本実施形態とは左右逆にしてもよいし、２つおきに左右の走査信号駆動回路２Ｌ，２Ｒに接続するなど、その配列は任意である。さらに、走査信号駆動回路を表示領域６の左右いずれかのみに配置し、全ての走査信号線Ｘ１〜Ｘｎを当該左右いずれかの走査信号駆動回路に接続するようにすることも可能である。以下に説明する他の実施形態においても同様である。
【００４７】
図５は、本発明の好適な第２の実施形態に係る液晶表示装置１を模式的に示す図である。同図においても、図中に示される符号及びその意味は、すでに説明した図８に準じるため、その説明は省略する。本実施形態は、第１の実施形態とは対向電極信号線部ＣＸ１〜ＣＸｎの状態の配列のみが異なり、その他の点は同様である。
【００４８】
本実施形態では、同図（ａ）に示すように、奇数フレームにおいては、対向電極信号線部ＣＸ１〜ＣＸｎは上端の対向電極信号線部ＣＸ１からその状態が（ａ）、（ｃ）、（ｂ）、（ｄ）の順に並び、以下ＣＸｎまで繰り返す。このような配置でも、隣接する４の対向電極信号線部ＣＸ１〜ＣＸｎをどの位置で取り出しても、上記（ａ）〜（ｄ）の状態が必ず１ずつ含まれることになる。
【００４９】
そして、同図（ｂ）に示すように、偶数フレームにおいては、対向電極信号線部ＣＸ１〜ＣＸｎは上端の対向電極信号線部ＣＸ１からその状態が（ｃ）、（ａ）、（ｄ）、（ｂ）の順に並び、以下ＣＸｎまで繰り返す。この場合でも、奇数フレームの場合と同じく、隣接する４の対向電極信号線部ＣＸ１〜ＣＸｎをどの位置で取り出しても、上記（ａ）〜（ｄ）の状態が必ず１ずつ含まれる。なお、偶数フレームにおいて、隣接する４の対向電極信号線部ＣＸ１〜ＣＸｎとして、対向電極信号線部ＣＸ２〜ＣＸ５を対向電極信号線部ＣＸ５から逆に取りだせば、その状態は（ａ）、（ｃ）、（ｂ）、（ｄ）の順に並んでいる。
【００５０】
このようにしても、奇数フレームと偶数フレームとの間の輝度分布の差はなくなる。そのため、前述した原因に起因する画面のちらつきは解消する。また、任意の１フレームにおいても、表示領域６内での輝度分布の偏りは小さい。
【００５１】
図６は、本発明の好適な第３の実施形態に係る液晶表示装置１を模式的に示す図である。同図においても、図中に示される符号及びその意味は、すでに説明した図８に準じるため、その説明は省略する。本実施形態も、第１の実施形態とは対向電極信号線部ＣＸ１〜ＣＸｎの状態の配列のみが異なり、その他の点は同様である。
【００５２】
本実施形態では、同図（ａ）に示すように、奇数フレームにおいては、対向電極信号線部ＣＸ１〜ＣＸｎは上端の対向電極信号線部ＣＸ１からその状態が（ａ）、（ｃ）、（ｄ）、（ｂ）の順に並び、以下ＣＸｎまで繰り返す。このような配置でも、隣接する４の対向電極信号線部ＣＸ１〜ＣＸｎをどの位置で取り出しても、上記（ａ）〜（ｄ）の状態が必ず１ずつ含まれることになる。
【００５３】
そして、同図（ｂ）に示すように、偶数フレームにおいては、対向電極信号線部ＣＸ１〜ＣＸｎは上端の対向電極信号線部ＣＸ１からその状態が（ｃ）、（ａ）、（ｂ）、（ｄ）の順に並び、以下ＣＸｎまで繰り返す。この場合でも、奇数フレームの場合と同じく、隣接する４の対向電極信号線部ＣＸ１〜ＣＸｎをどの位置で取り出しても、上記（ａ）〜（ｄ）の状態が必ず１ずつ含まれる。なお、偶数フレームにおいて、隣接する４の対向電極信号線部ＣＸ１〜ＣＸｎとして、対向電極信号線部ＣＸ２〜ＣＸ５を対向電極信号線部ＣＸ５から逆に取りだせば、その状態は（ａ）、（ｃ）、（ｄ）、（ｂ）の順に並んでいる。
【００５４】
このようにしても、奇数フレームと偶数フレームとの間の輝度分布の差はなくなる。そのため、前述した原因に起因する画面のちらつきは解消する。また、任意の１フレームにおいても、表示領域６内での輝度分布の偏りは小さい。
【００５５】
図１０は、本発明の好適な第４の実施形態に係る液晶表示装置１の回路配置を示す全体図である。本実施形態は、液晶表示装置１がＶＡやＴＮ等の縦電界方式である他は第１の実施形態と同様であるから、共通する構成については同符号を付し、その詳細な説明を省略する。
【００５６】
縦電界方式の液晶表示装置１では、対向電極部１２はカラーフィルター基板１５上に形成される。したがって、ＴＦＴ基板１０には走査信号駆動回路２Ｌ，２Ｒが形成されるが、対向電極信号駆動回路３Ｌ，３Ｒは形成されない。また、対向電極信号駆動回路３Ｌ，３Ｒ、対向電極信号線部ＣＸ１〜ＣＸｎ及び対向電極部１２はカラーフィルター基板１５に形成される。ＴＦＴ基板上の画素電極１１とカラーフィルター基板１５上の対向電極部１２は、液晶表示装置１を組み立てた際には、液晶層１４を隔てて向かい合い、保持容量Ｃ１１〜Ｃｎｍを構成する。
【００５７】
このようにすれば、縦電界方式の液晶表示装置１においても、第１の実施形態同様に奇数フレームと偶数フレームとの間の輝度分布の差はなくなり、画面のちらつきは解消する。また、任意の１フレームにおいても、画面内での輝度分布の偏りは小さい。また、走査信号駆動回路２Ｌ，２Ｒと対向電極信号駆動回路３Ｌ，３Ｒを別々の基板に配置することになるため、液晶表示装置１を組み立てた状態で、走査信号駆動回路２Ｌ，２Ｒと対向電極信号駆動回路３Ｌ，３Ｒを互いに重なり合う位置に配置でき、回路が液晶表示装置１に占める面積が小さくなる。
【図面の簡単な説明】
【００５８】
【図１】第１の実施形態に係る液晶表示装置の回路配置を示す全体図である。
【図２】第１の実施形態に係る液晶表示装置の画素部分の拡大図である。
【図３】図２中Ａ−Ａ線で示した断面図である。
【図４】第１の実施形態に係る液晶表示装置を模式的に示す図である。
【図５】第２の実施形態に係る液晶表示装置を模式的に示す図である。
【図６】第３の実施形態に係る液晶表示装置を模式的に示す図である。
【図７】第４の実施形態に係る液晶表示装置の回路配置を示す全体図である。
【図８】ライン反転方式を採用し、表示領域の左右に駆動回路を分割して配置した液晶表示装置を模式的に示す図である。
【図９】図８に示した液晶表示装置の横方向の画素の輝度分布を示す図である。
【符号の説明】
【００５９】
１  液晶表示装置、２Ｌ，２Ｒ  走査信号駆動回路、３Ｌ，３Ｒ  対向電極信号駆動回路、４  分配回路、５  ドライバ回路、６  表示領域、１０  ＴＦＴ基板、１１  画素電極、１２  対向電極部、１３  配向膜、１４  液晶層、１５  カラーフィルター基板、１６  ブラックマトリクス、１７  カラーフィルター層、１８  平坦化膜、１９  配向膜、２０，２１，２２，２３  曲線、２４  輝度の差、ＣＸ１〜ＣＸｎ  対向電極信号線部、Ｘ１〜Ｘｎ  走査信号線、Ｙ１〜Ｙｍ  映像信号線、Ｃ１１〜Ｃｎｍ  保持容量、Ｔ１１〜Ｔｎｍ  トランジスタ。
【図１】
2010139776.tif 000003
【図２】
2010139776.tif 000004
【図３】
2010139776.tif 000005
【図４】
2010139776.tif 000006
【図５】
2010139776.tif 000007
【図６】
2010139776.tif 000008
【図７】
2010139776.tif 000009
【図８】
2010139776.tif 000010
【図９】
2010139776.tif 000011